(57)【要約】      （修正有）【課題】外殻壁が薄く、構造が簡単である小型のリチウムイオン電池を提供する。【解決手段】リチウムイオン電池は、前端が保護板とトップカバーに接続されるセルと、セルを収納するための外殻とを備え、トップカバーと外殻とが係合によって接続される。外殻主体とボトムケースとが一体化される。【選択図】図１
0003174759.tif 000002
【実用新案登録請求の範囲】
【請求項１】
前端が保護板（３）とトップカバー（４）に接続されるセル（１）と、前記セル（１）を収納するための外殻（２）とを備えるリチウムイオン電池であって、前記トップカバー（４）と外殻（２）とが係合によって接続されることを特徴とするリチウムイオン電池。
【請求項２】
前記外殻（２）は、外殻主体（２１）とボトムケース（２２）とを備えることを特徴とする請求項１に記載のリチウムイオン電池。
【請求項３】
前記外殻主体（２１）とボトムケース（２２）とは一体に成型されていることを特徴とする請求項２に記載のリチウムイオン電池。
【請求項４】
前記外殻主体（２１）には、ラベル（６）が貼り付けられていることを特徴とする請求項３に記載のリチウムイオン電池。
【請求項５】
前記トップカバー（４）の外面には、凸点（４１）が設けられ、前記外殻主体（２１）の開口領域には、凸点（４）とフィットする穴（２１１）が設けられていることを特徴とする請求項４に記載のリチウムイオン電池。
【請求項６】
前記セル（１）と保護板（３）との間には絶縁紙（５）が設けられていることを特徴とする請求項５に記載のリチウムイオン電池。
【請求項７】
前記セル（１）と保護板（３）とは、点溶接によって接続されることを特徴とする請求項６に記載のリチウムイオン電池。
【請求項８】
前記外殻（２）の厚さが０．３ｍｍ以下であることを特徴とする請求項７に記載のリチウムイオン電池。
【請求項９】
前記セル（１）の前端には、正極タブ（１１）と負極タブ（１２）が設けられていることを特徴とする請求項８に記載のリチウムイオン電池。
【請求項１０】
前記正極タブ（１１）及び負極タブ（１２）は、それぞれ点溶接によって保護板（３）に接続されることを特徴とする請求項９に記載のリチウムイオン電池。
【考案の詳細な説明】
【技術分野】
【０００１】
本考案は、リチウムイオン電池技術分野に属し、特に、外殻壁が薄く、構造が簡単であり、エネルギー密度が高いリチウムイオン電池に関する。
【背景技術】
【０００２】
クリーンエネルギーの一種として、リチウムイオン電池は、電圧が高く、充放電寿命が長く、環境に対する汚染が小さく、自己放電率が低い等の様々な長所を有するので、スマートフォン、ノートパソコン、デジタルカメラ、携帯型小型電器等のような各種の電子製品に広く利用されている。
【０００３】
電子製品の小型化に対する人間の要求が絶え間なく高まるにつれて、リチウムイオン電池に対しても対応的に薄型化になるように要求すると共に、高エネルギー密度化も要求する。
【０００４】
現在、リチウムイオン電池の包装構造は、一般に、フロントカバー、バックカバー、外殻及び保護板等を備え、フロントカバーやバックカバーとセルとの間が一般に接着又は溶接によって接続される。外殻は、一般に金属材質であり、外殻とフロントカバーやバックカバーが一般に接着又は溶接によって接続され、或いは射出一体成形の方法を採用する。セルと外殻との間、フロントカバーとセルとの間及びバックカバーとセルとの間の隙間に封止剤を充填して、セルが揺れないようにする。フロントカバーとバックカバーは、強度を保証するために、一定の厚さの枠を形成するように射出されることが必要であり、浪費された空間が大きく、エネルギー密度を向上できなく、薄型化リチウムイオン電池という需要を満足できなく、且つ組み立てプロセスが複雑であり、生産効率の向上と生産コストの低下に不利である。
【０００５】
以上の状況に鑑みて、外殻壁が薄く、構造が簡単であり、エネルギー密度が高いリチウムイオン電池を提供する必要が確かにある。
【考案の概要】
【考案が解決しようとする課題】
【０００６】
本考案は、従来の技術の不足点に対して、外殻壁が薄く、構造が簡単であり、エネルギー密度が高いリチウムイオン電池を提供することを目的とする。
【課題を解決するための手段】
【０００７】
上述した目的を実現するために、本考案は、以下のような技術方案を採用する。
【０００８】
前端が保護板とトップカバーに接続されるセルと、前記セルを収納するための外殻とを備え、前記トップカバーと外殻とが係合によって接続されるリチウムイオン電池である。
【０００９】
本考案に係るリチウムイオン電池の改良として、前記外殻は、外殻主体とボトムケースとを備える。
【００１０】
本考案に係るリチウムイオン電池の改良として、前記外殻主体とボトムケースとは一体に成型されている。
【００１１】
本考案に係るリチウムイオン電池の改良として、前記外殻主体の外には、ラベルが貼り付けられている。
【００１２】
本考案に係るリチウムイオン電池の改良として、前記トップカバーの外面には、凸点が設けられ、前記外殻主体の開口領域には、凸点とフィットする穴が設けられており、そのようにして係合接続を実現することができる。
【００１３】
本考案に係るリチウムイオン電池の改良として、前記セルと保護板との間には絶縁のための絶縁紙が設けられている。
【００１４】
本考案に係るリチウムイオン電池の改良として、前記セルと保護板とは、点溶接によって接続される。
【００１５】
本考案に係るリチウムイオン電池の改良として、前記外殻の厚さが０．３ｍｍ以下である。この時に軽量化の基礎で電池容量の最大化を実現することができる。
【００１６】
本考案に係るリチウムイオン電池の改良として、前記セルの前端には、正極タブと負極タブが設けられている。
【００１７】
本考案に係るリチウムイオン電池の改良として、前記正極タブ及び負極タブは、それぞれ点溶接によって保護板に接続される。
【考案の効果】
【００１８】
従来の技術に比べて、本考案は、少なくとも以下のような長所を有する。
【００１９】
１．本考案は、外殻主体とボトムケースとが一体化された設計を採用し、製品外観が簡潔且つ堅固であり、外殻の体積が完全にセルの体積の大きさに合わせて製作でき、外殻とセルとの間に隙間が発生しないので、接着剤の充填が必要としなく、リチウムイオン電池の体積を更に低下させ、リチウムイオン電池のエネルギー密度を向上させた。
【００２０】
２．トップカバーと外殻とが係合接続によって組み立てられ、少ない持ち場だけで筐体全体の組み立てを完成することができ、リチウムイオン電池の構造を簡単化にし、労働力と必要な時間を大いに節約して、生産効率を向上させた。
【００２１】
３．外殻の厚さが０．３ｍｍ以下であり、且つプラスチック外殻を採用し、重量が軽く、電池が軽量化の基礎で電池容量の最大化を実現した。
【図面の簡単な説明】
【００２２】
【図１】本考案の分解図である。
【図２】本考案の立体図である。
【考案を実施するための形態】
【００２３】
以下、実施例と明細書の添付図面を参照しながら、本考案を更に詳しく記述するが、本考案の実施形態は、これに限定されない。
【００２４】
図１と図２に示すように、本考案のリチウムイオン電池は、セル１と、前記セル１を収納するための外殻２とを備え、絶縁紙５の外にはラベル６が貼り付けられており、前記セル１の前端が保護板３とトップカバー４に接続され、前記セル１と保護板３とが点溶接によって接続される。前記トップカバー４と外殻２とは係合によって接続され、具体的には、前記トップカバー４の外面には、凸点４１が設けられ、前記外殻主体２１の開口領域には、凸点４１とフィットする穴２１１が設けられており、そのようにして係合接続を実現することができる。
【００２５】
なお、前記外殻２は、厚さが０．３ｍｍ以下であり、一体に成型されている外殻主体２１とボトムケース２２を備え、プラスチック材料を採用する。前記外殻主体２１の外にはラベル６が貼り付けられている。前記セル１と保護板３との間には絶縁のための絶縁紙５が設けられている。
【００２６】
なお、前記セル１の前端には正極タブ１１と負極タブ１２が設けられている。正極タブ１１及び負極タブ１２は、それぞれ点溶接によって保護板３に接続される。
【００２７】
組み立てる時に、以下のようなステップを含む。
【００２８】
ステップ１：絶縁紙５をセル１の前端に取り付け、次に製作されたセル１を保護板３に点溶接し、保護板３を外面に凸点４１が設けられたトップカバー４内に取り付ける。
【００２９】
ステップ２：トップカバー４の外面における凸点４１を外殻主体２１の開口領域における凸点４１とフィットする穴２１１内に挿入し、係合させて接続させ、リチウムイオン電池に組み立てる。
【００３０】
ステップ３：外殻主体２１にラベルを貼り付けて、組み立てを完成する。
【００３１】
上述した明細書の開示と指導に基づいて、当業者は、上述した実施形態に変更や修正を加えることができる。従って、本考案は、以上で開示し記述した具体的な実施形態に限定されなく、本考案に対する修正や変更も本実用新案登録請求の範囲に含まれるべきである。なお、本明細書においていくつかの特定の技術用語を使用したが、これらの技術用語が説明を便利にするためのものだけであり、本考案にいかなる制限を加えようとしない。
【図１】
0003174759.tif 000003
【図２】
0003174759.tif 000004